【手続補正書】
【提出日】平成18年8月9日(2006.8.9)
【手続補正１】
【補正対象書類名】特許請求の範囲
【補正対象項目名】全文
【補正方法】変更
【補正の内容】
【特許請求の範囲】
【請求項１】
記録媒体を供給するための複数のトレイと、異なる複数の書込みピッチを切り替えて記録媒体上に画像を形成し記録する記録手段を備えた画像記録装置であって、
前記複数の各トレイには、前記書込みピッチが個別に対応付けられており、
前記記録手段は、予め定められた複数の露光値を用いて前記各トレイに対応する書込みピッチ毎に前記記録媒体上にテストパターン画像を記録し、
前記各トレイに対応する書込みピッチで記録された各テストパターン画像の濃度のそれぞれを測定する濃度測定手段と、
前記各トレイに対応する書込みピッチ毎に、前記テストパターン画像の濃度測定結果に基づいて、入力画像信号と露光値との予め定められた関係を修正するための修正値を作成する修正手段と、
画像の記録に用いる記録媒体を供給するトレイに対応する書込みピッチ毎に、前記作成された修正値を用いて入力画像信号に対応する露光値を補正する補正手段と、
を備えたことを特徴とする画像記録装置。
【請求項２】
前記切り替え可能な書込みピッチが３種類以上であることを特徴とする請求項１に記載の画像記録装置。
【請求項３】
前記記録媒体に記録したときに用いた書込みピッチを示す情報を前記記録媒体に記録することを特徴とする請求項１又は２に記載の画像記録装置。
【請求項４】
前記画像の形成及び記録は、光熱銀塩方式で行うことを特徴とする請求項１〜３の何れか一項に記載の画像記録装置。
【請求項５】
記録媒体を供給するための複数のトレイと、異なる複数の書込みピッチを切り替えて記録媒体上に画像を形成し記録する記録手段を備えた画像記録装置における画像記録方法であって、
前記複数の各トレイには、前記書込みピッチが個別に対応付けられており、
前記予め定められた複数の露光値を用いて前記各トレイに対応する書込みピッチ毎に前記記録媒体上にテストパターン画像を記録する工程と、
前記各トレイに対応する書込みピッチで記録された各テストパターン画像の濃度のそれぞれを測定する工程と、
前記各トレイに対応する書込みピッチ毎に、前記テストパターン画像の濃度測定結果に基づいて、入力画像信号と露光値との予め定められた関係を修正するための修正値を作成する工程と、
画像の記録に用いる記録媒体を供給するトレイに対応する書込みピッチ毎に、前記作成された修正値を用いて入力画像信号に対応する露光値を補正する工程と、
を含むことを特徴とする画像記録方法。
【手続補正２】
【補正対象書類名】明細書
【補正対象項目名】０００８
【補正方法】削除
【補正の内容】
【手続補正３】
【補正対象書類名】明細書
【補正対象項目名】０００９
【補正方法】変更
【補正の内容】
【０００９】
上記課題を解決するため、請求項１に記載の発明は、
記録媒体を供給するための複数のトレイと、異なる複数の書込みピッチを切り替えて記録媒体上に画像を形成し記録する記録手段を備えた画像記録装置であって、
前記複数の各トレイには、前記書込みピッチが個別に対応付けられており、
前記記録手段は、予め定められた複数の露光値で前記各トレイに対応する書込みピッチ毎に前記記録媒体上にテストパターン画像を記録し、
前記各トレイに対応する書込みピッチで記録された各テストパターン画像の濃度のそれぞれを測定する濃度測定手段と、
前記各トレイに対応する書込みピッチ毎に、前記テストパターン画像の濃度測定結果に基づいて、入力画像信号と露光値との予め定められた関係を修正するための修正値を作成する修正手段と、
画像の記録に用いる記録媒体を供給するトレイに対応する書込みピッチ毎に、前記作成された修正値を用いて入力画像信号に対応する露光値を補正する補正手段と、
を備えたことを特徴としている。
【手続補正４】
【補正対象書類名】明細書
【補正対象項目名】００１０
【補正方法】変更
【補正の内容】
【００１０】
請求項２に記載の発明は、請求項１に記載の発明において、
前記切り替え可能な書込みピッチが３種類以上であることを特徴としている。
【手続補正５】
【補正対象書類名】明細書
【補正対象項目名】００１１
【補正方法】変更
【補正の内容】
【００１１】
請求項３に記載の発明は、請求項１又は２に記載の発明において、
前記記録媒体に記録したときに用いた書込みピッチを示す情報を前記記録媒体に記録することを特徴としている。
【手続補正６】
【補正対象書類名】明細書
【補正対象項目名】００１２
【補正方法】変更
【補正の内容】
【００１２】
請求項４に記載の発明は、請求項１〜３の何れか一項に記載の発明において、
前記画像の形成及び記録は、光熱銀塩方式で行うことを特徴としている。
【手続補正７】
【補正対象書類名】明細書
【補正対象項目名】００１３
【補正方法】削除
【補正の内容】
【手続補正８】
【補正対象書類名】明細書
【補正対象項目名】００１４
【補正方法】変更
【補正の内容】
【００１４】
請求項５に記載の発明は、
記録媒体を供給するための複数のトレイと、異なる複数の書込みピッチを切り替えて記録媒体上に画像を形成し記録する記録手段を備えた画像記録装置における画像記録方法であって、
前記複数の各トレイには、前記書込みピッチが個別に対応付けられており、
前記予め定められた複数の露光値で前記各トレイに対応する書込みピッチ毎に前記記録媒体上にテストパターン画像を記録する工程と、
前記各トレイに対応する書込みピッチで記録された各テストパターン画像の濃度のそれぞれを測定する工程と、
前記各トレイに対応する書込みピッチ毎に、前記テストパターン画像の濃度測定結果に基づいて、入力画像信号と露光値との予め定められた関係を修正するための修正値を作成する工程と、
画像の記録に用いる記録媒体を供給するトレイに対応する書込みピッチ毎に、前記作成された修正値を用いて入力画像信号に対応する露光値を補正する工程と、
を含むことを特徴としている。
【手続補正９】
【補正対象書類名】明細書
【補正対象項目名】００１５
【補正方法】変更
【補正の内容】
【００１５】
本発明によれば、異なる複数の書込みピッチを切り替えて記録媒体上に画像を形成し記録する記録手段を備えており、予め定められた複数の露光値を用いて書込みピッチ毎に記録媒体上にテストパターン画像を記録し、各書込みピッチで記録された各テストパターン画像の濃度のそれぞれを測定し、書込みピッチ毎に、テストパターン画像の濃度測定結果に基づいて、入力画像信号と露光値との予め定められた関係を修正するための修正値を作成し、画像の記録に用いる書込みピッチ毎に、作成された修正値を用いて入力画像信号に対応する露光値を補正する。従って、異なる複数の書込みピッチを切り替えて記録媒体上に画像を形成することができるので、入力画像信号の読取ピッチに応じた画像劣化の少ない画像を提供することができ、かつ、画像形成に用いる書込みピッチに応じてキャリブレーションを行うことができるので、安定した階調特性の画像を提供することができる。
【手続補正１０】
【補正対象書類名】明細書
【補正対象項目名】００１６
【補正方法】変更
【補正の内容】
【００１６】
請求項１、５に記載の発明によれば、記録媒体を供給するための複数のトレイと、異なる複数の書込みピッチを切り替えて記録媒体上に画像を形成し記録する記録手段を備えており、複数の各トレイには、書込みピッチが個別に対応付けられており、予め定められた複数の露光値を用いて各トレイに対応する書込みピッチ毎に記録媒体上にテストパターン画像を記録し、各トレイに対応する書込みピッチで記録された各テストパターン画像の濃度のそれぞれを測定し、各トレイに対応する書込みピッチ毎に、テストパターン画像の濃度測定結果に基づいて、入力画像信号と露光値との予め定められた関係を修正するための修正値を作成し、画像の記録に用いる記録媒体を供給するトレイに対応する書込みピッチ毎に、作成された修正値を用いて入力画像信号に対応する露光値を補正する。従って、トレイ毎に書込みピッチを切り替えて記録媒体上に画像を形成することができるので、読取ピッチに応じた画像劣化の少ない画像を提供することができ、かつ、トレイに応じた書込みピッチに応じてキャリブレーションを行うことができるので、安定した階調特性の画像を提供することができる。
【手続補正１１】
【補正対象書類名】明細書
【補正対象項目名】００１７
【補正方法】変更
【補正の内容】
【００１７】
請求項２に記載の発明によれば、切り替え可能な書込みピッチが３種類以上であるので、入力画像信号の読取ピッチに応じて書込みピッチを選択し、高画質な画像を記録することができる。
【手続補正１２】
【補正対象書類名】明細書
【補正対象項目名】００１８
【補正方法】変更
【補正の内容】
【００１８】
請求項３に記載の発明によれば、記録媒体に記録したときに用いた書込みピッチを示す情報を記録媒体に記録し、医用画像の診断等における参考とすることができる。
【手続補正１３】
【補正対象書類名】明細書
【補正対象項目名】００１９
【補正方法】変更
【補正の内容】
【００１９】
請求項４に記載によれば、光熱銀塩方式の画像記録装置で請求項１〜３の発明を実施することができる。